(57)【要約】【課題】アンテナ線の接続部分に不要な張力が作用することを抑制可能な開閉装置を得る。【解決手段】開閉装置１０は、シャッタカーテンを巻き取る巻取体の内部に少なくとも一部が配置され、かつ開口部を有する筐体１２と、電源線挿通用の切欠部４０Ｂが貫通して設けられ、外部にアンテナ線保持用の保持部４２が形成され、かつ筐体１２の開口部を閉塞するように設けられた取付部材３４と、筐体１２の内部に取り付けられ、取付部材３４の切欠部４０Ｂを挿通する電源線６０を通して巻取体を回転させる回転力を発生する電力が供給されるモータと、取付部材３４に取り付けられた受信装置２８であって、中間部が取付部材３４の保持部４２に保持されたアンテナ線５４を有し、送信機から無線で送信された制御信号をアンテナ線５４を介して受信し、かつモータの駆動制御を行なう駆動制御回路に受信した制御信号を伝送する受信装置２８と、を含む。【選択図】図１
2019199753.tif 000002
【特許請求の範囲】
【請求項１】
シャッタカーテンを移動させて構造物の開口を開閉する開閉装置であって、
前記シャッタカーテンを巻き取る巻取体の内部に少なくとも一部が配置され、かつ開口部を有する筐体と、
電源線挿通用の挿通部が貫通して設けられ、取り付けられたときに外側となる外側部にアンテナ線保持用の保持部が形成され、かつ前記筐体の前記開口部を閉塞するように前記筐体に取り付けられた取付部材と、
前記筐体の内部に取り付けられ、前記取付部材の前記挿通部を挿通する電源線を通して前記巻取体を回転させる回転力を発生する電力が供給されるモータと、
前記取付部材に取り付けられた通信装置であって、中間部が前記取付部材の前記保持部に保持されたアンテナ線を有し、送信機から無線で送信された制御信号を前記アンテナ線を介して受信し、かつ前記モータの駆動制御を行なう駆動制御回路に受信した制御信号を伝送する通信装置と、
を含む開閉装置。
【請求項２】
前記取付部材は、弾性材料で形成され、
前記保持部は、前記アンテナ線を挟持する溝部が形成されて前記取付部材の前記外側部から突出した突出部である、請求項１に記載の開閉装置。
【請求項３】
前記保持部は、前記通信装置が取り付けられた部位と前記挿通部との間に設けられている、請求項１または請求項２に記載の開閉装置。
【請求項４】
シャッタカーテンと、
請求項１〜請求項３の何れか１項に記載の開閉装置と、
を備えたシャッタ装置。
【発明の詳細な説明】
【技術分野】
【０００１】
本発明は、開閉装置、及びシャッタ装置に関する。
【背景技術】
【０００２】
特許文献１に記載のシャッタカーテンを移動させる開閉装置は、建物開口部を開閉する開閉体を巻き取り繰り出し駆動するモータ部と、モータ部の上方に配置され、モータ部と制御配線を介して接続されてモータ部の駆動を制御する制御部と、モータ部と制御部とに亘って設けられ、制御部をモータ部と上下に重なる位置と制御部を開閉体の巻き取り中心軸に沿う方向へオフセットさせて制御部の下面の被作業面を下向きに露出させた位置とに配置する連結手段とを備えている。
【先行技術文献】
【特許文献】
【０００３】
【特許文献１】特開２０１７−２５５８３号公報
【発明の概要】
【発明が解決しようとする課題】
【０００４】
この種の開閉装置において、送信機から無線で送信された制御信号を受信するアンテナ線を有し、モータ部の駆動制御を行う駆動制御回路へ制御信号を伝送する通信装置を備えた開閉装置がある。また、開閉装置には、モータ部等へ電力を供給する電源線が接続されている。
【０００５】
ところで、電源線の出ている位置と、アンテナ線の出ている位置とが異なる開閉装置においては、電源線に沿ってアンテナ線を這わせ、電源線とアンテナ線とを束ねる構成が考えられる。
【０００６】
しかしながら、アンテナ線を電源線に沿って這わせる作業、及び電源線とアンテナ線とを束ねる際にアンテナ線が引っ張られる場合があり、アンテナ線の接続部分に不要な張力すると通信装置からアンテナ線が外れる場合がある。
【０００７】
本発明の課題は、アンテナ線の接続部分に不要な張力が作用することを抑制可能な開閉装置、シャッタ装置の提供を目的とする。
【課題を解決するための手段】
【０００８】
本発明の請求項１に係る開閉装置は、シャッタカーテンを移動させて構造物の開口を開閉する開閉装置であって、前記シャッタカーテンを巻き取る巻取体の内部に少なくとも一部が配置され、かつ開口部を有する筐体と、電源線挿通用の挿通部が貫通して設けられ、取り付けられたときに外側となる外側部にアンテナ線保持用の保持部が形成され、かつ前記筐体の前記開口部を閉塞するように前記筐体に取り付けられた取付部材と、前記筐体の内部に取り付けられ、前記取付部材の前記挿通部を挿通する電源線を通して前記巻取体を回転させる回転力を発生する電力が供給されるモータと、前記取付部材に取り付けられた通信装置であって、中間部が前記取付部材の前記保持部に保持されたアンテナ線を有し、送信機から無線で送信された制御信号を前記アンテナ線を介して受信し、かつ前記モータの駆動制御を行なう駆動制御回路に受信した制御信号を伝送する通信装置と、を含む。
【０００９】
請求項１に記載の開閉装置によれば、無線で送信された制御信号を受信して、モータの駆動制御を行う駆動制御回路へ制御信号を伝送する通信装置は、筐体の開口部を閉塞するように設けられた取付部材に取り付けられている。また、通信装置からはアンテナ線が外部へ延設される。
【００１０】
また、取付部材においては、外部よりモータ、及び駆動制御回路に電力を供給するための電源線が挿通する挿通部が形成されており、電源線は、この挿通部から外部へ延設される。
【００１１】
ここで、電源線に沿ってアンテナ線を這わせ、電源線とアンテナ線とを束ねる構成とする場合、アンテナ線を電源線に沿って這わせる作業、及び電源線とアンテナ線とを束ねる作業においてアンテナ線が引っ張られる場合があり、通信装置におけるアンテナ線の接続部分に不要な張力が作用する場合がある。
【００１２】
請求項１に記載の開閉装置によれば、通信装置から外部へ延設されるアンテナ線の中間部を保持部で保持することができる。このため、アンテナ線を電源線に沿って這わせる作業、及び電源線とアンテナ線とを束ねる作業において、仮にアンテナ線が引っ張られた場合においても、通信装置におけるアンテナ線の接続部分に不要な張力が作用することを抑制できる。
【００１３】
請求項２に記載の発明は、請求項１に記載の開閉装置において、前記取付部材は、弾性材料で形成され、前記保持部は、前記アンテナ線を挟持する溝部が形成されて前記取付部材の前記外側部から突出した突出部である。
【００１４】
請求項２に記載の開閉装置では、突出部に形成された溝部にアンテナ線の中間部を挟持することができる。突出部は弾性材料で形成されているため、アンテナ線を溝部の内部に押し込み、アンテナ線を嵌めこむことで、アンテナ線を弾性力で挟持することができる。
【００１５】
請求項３に記載の発明は、請求項１または請求項２に記載の開閉装置において、前記保持部は、前記通信装置が取り付けられた部位と前記挿通部との間に設けられている。
【００１６】
請求項３に記載の開閉装置では、保持部が、通信装置が取り付けられた部位と挿通部との間に設けられているため、通信装置から延設されたアンテナ線を、通信装置が取り付けられた部位と挿通部との間に設けた保持部を経由して、最短距離で電源線に到達させることができる。
【００１７】
請求項４に係るシャッタ装置は、シャッタカーテンと、請求項１〜請求項３の何れか１項に記載の開閉装置と、を備えている。
【００１８】
請求項４に係るシャッタ装置によれば、請求項１〜請求項３の何れか１項に記載の開閉装置を備えることで、アンテナ線を電源線に沿って這わせる作業、及び電源線とアンテナ線とを束ねる作業において、仮にアンテナ線が引っ張られた場合においても、通信装置におけるアンテナ線の接続部分に不要な張力が作用することを抑制できる。
【発明の効果】
【００１９】
本発明の開閉装置、及びシャッタ装置によれば、アンテナ線の接続部分に不要な張力が作用することを抑制できる。
【図面の簡単な説明】
【００２０】
【図１】本発明の実施形態に係る開閉装置を示した拡大斜視図である。
【図２】本発明の実施形態に係る開閉装置を示した斜視図である。
【図３】本発明の実施形態に係る開閉装置を示した分解斜視図である。
【図４】本発明の実施形態に係る開閉装置に備えられた受信装置、及び閉塞部材を示した斜視図である。
【図５】本発明の実施形態に係る開閉装置に備えられた受信装置、及び閉塞部材を示した分解斜視図である。
【図６】本発明の実施形態に係るシャッタ装置を示した構成図である。
【図７】（Ａ）本発明の他の実施形態に係る受信装置を示す正面図であり、（Ｂ）は受信装置の一部を示す断面図である。
【発明を実施するための形態】
【００２１】
本発明の実施形態に係る開閉装置、及びシャッタ装置の一例を図１〜図６に従って説明する。なお、図中に示す矢印Ｈは装置上下方向（鉛直方向）を示し、矢印Ｗは装置幅方向（水平方向）を示し、矢印Ｌは装置奥行方向（水平方向）を示す。
【００２２】
（シャッタ装置）
シャッタ装置１００は、建築物の窓に取り付けられる窓シャッタであって、図６に示されるように、フレーム１０２、巻取体１０６、シャッタカーテン１０４、及び開閉装置１０を備えている。
【００２３】
〔フレーム１０２〕
フレーム１０２は、一対のガイドレール１１２、シャッタケース１１４、及び下枠１１６を備えている。
【００２４】
一対のガイドレール１１２は、装置上下方向に夫々延びており、装置幅方向において窓の開口の両側に離間して配置されている。さらに、一対のガイドレール１１２は、シャッタカーテン１０４の両端部を装置奥行方向から夫々挟んでいる。そして、一対のガイドレール１１２は、上下移動するシャッタカーテン１０４を案内するようになっている。
【００２５】
シャッタケース１１４は、一対のガイドレール１１２の上端を連結するように、装置幅方向に延びて配置されている。そして、シャッタケース１１４において装置幅方向に直交した方向で切断した断面は、矩形筒状とされており、シャッタケース１１４の内部は、空洞とされている。また、下枠１１６は、一対のガイドレール１１２の下端を連結するように、装置幅方向に延びて配置されている。
【００２６】
〔巻取体１０６、シャッタカーテン１０４〕
巻取体１０６は、 装置幅方向に延びた筒状とされており、シャッタケース１１４の内部に配置されている。さらに、巻取体１０６は、装置幅方向に延びた回転軸周りに回転するように支持されている。
【００２７】
シャッタカーテン１０４は、フレーム１０２で囲まれた矩形の開口を開閉するように配置されている。このシャッタカーテン１０４は、装置幅方向に延びた帯状のスラット１２２を複数備え、装置上下方向に並べられ複数のスラット１２２が互いに連結されることで形成されている。そして、上端部のスラット１２２が、巻取体１０６に取り付けられている。
【００２８】
この構成において、巻取体１０６が正方向に回転することで、窓の開口を閉塞しているシャッタカーテン１０４が、一対のガイドレール１１２に案内されながら巻取体１０６に巻き取られる。そして、窓の開口が開放される。これに対して、巻取体１０６が逆方向に回転することで、窓の開口を開放しているシャッタカーテン１０４が、一対のガイドレール１１２に案内されながら巻取体１０６から巻き出される。そして、窓の開口が閉塞される。
【００２９】
〔開閉装置１０〕
開閉装置１０は、シャッタケース１１４の内部に配置されており、巻取体１０６を介してシャッタカーテン１０４を上下移動させることで窓の開口を開閉するようになっている。なお、開閉装置１０については、詳細を後述する。
【００３０】
（要部構成）
開閉装置１０は、図６に示されるように、シャッタケース１１４の内部で、かつ、少なくとも一部が筒状の巻取体１０６の装置幅方向に一方側（図中右側）の内部に配置されている。そして、開閉装置１０は、図２、図３に示されるように、筐体１２、駆動モータ１６、減速機構１８、回転伝達部材２２、制御基板２６、及び受信装置２８（所謂無縁モジュール）を備えている。
【００３１】
〔筐体１２〕
筐体１２は、装置幅方向に延びた円筒状の本体部３２と、本体部３２の装置幅方向の一方側（図中右側）の開口を閉塞する厚肉の略円板状の閉塞部材３４とを備えている。
【００３２】
−本体部３２−
本体部３２は、図２、図３に示されるように、上下方向に分割することが出来るようになっており、本体部３２の上方部分を形成すると共に下方が開口した断面半円状の上方部材３２Ａと、本体部３２の下方部分を形成すると共に上方が開口した断面半円状の下方部材３２Ｂとを備えている。
【００３３】
上方部材３２Ａ、及び下方部材３２Ｂは、金属材料で形成されている。そして、上方部材３２Ａの装置幅方向に延びた一対の縁部と、下方部材３２Ｂの装置幅方向に延びた一対の縁部とを装置上下方向に重ねた状態で、上方部材３２Ａと下方部材３２Ｂとが、図示せぬ取付部材によって取り付けられることで、本体部３２が形成されている。
【００３４】
−閉塞部材３４−
閉塞部材３４は、弾性材料であるゴム材料によって形成されている。ここで、弾性材料とは、アスカー硬度６０〔度〕以下で、かつ、３０〔度〕以上の材料である。なお、アスカー硬度とは、高分子計器株式会社のアスカー硬度計Ｃ型を用いて測定することができる。なお、閉塞部材３４は、ゴム材料に代えて、ウレタン樹脂等の弾性を有する合成樹脂を用いてもよい。
【００３５】
閉塞部材３４は、図１、図４に示されるように、板面が装置幅方向を向いた円盤状とされており、無負荷状態の閉塞部材３４の外径は、本体部３２の内径と比して僅かに大きくされている。また、閉塞部材３４において装置幅方向の一方側（図中右側）を向いた面には、閉塞部材３４の径方向に延びると共に閉塞部材３４の径方向を向いた段差面３６が形成されている。
【００３６】
さらに、閉塞部材３４には、この段差面３６を境に、肉厚が比較的薄い薄肉部３８と肉厚が比較的厚い厚肉部４０とが形成されている。具体的には、段差面３６は、段差面３６に対して直交する方向（法線方向）から見て、閉塞部材３４の径方向に延びた矩形状とされている。そして、段差面３６は、装置幅方向に離間する一対の縁辺３６Ａ、３６Ｂと、閉塞部材３４の径方向に離間する一対の縁辺３６Ｃとに囲まれている。この縁辺３６Ａは、薄肉部３８において装置幅方向の一方側を向いた外表面３８Ａに形成され、縁辺３６Ｂは、厚肉部４０において装置幅方向の一方側を向いた外表面４０Ａに形成されている。
【００３７】
また、薄肉部３８には、図５に示されるように、薄肉部３８の表裏を貫通する貫通孔３８Ｂが形成されている。この貫通孔３８Ｂは、装置幅方向から見て、縁辺３６Ａに対して傾斜する傾斜方向に延びた矩形状とされている。さらに、薄肉部３８には、薄肉部３８の表裏を貫通する貫通孔３８Ｃが形成されている。この貫通孔３８Ｃは、装置幅方向から見て、円形状とされており、貫通孔３８Ｂに対して貫通孔３８Ｂの長手方向の隣りに配置されている。
【００３８】
また、厚肉部４０には、後述するアンテナ線５４を保持する保持部４２と、後述する電源線６０を保持する切欠部４０Ｂとが形成されている。
【００３９】
−保持部４２−
この保持部４２は、縁辺３６Ｂの中央側の部分で、縁辺３６Ｂに沿って形成されている。具体的には、保持部４２は、厚肉部４０の外表面４０Ａから突出した直方体状の突出部とされている。そして、保持部４２には、装置幅方向から見て、縁辺３６Ｂと交差する方向に延びている溝部４２Ａが形成されている。この溝部４２Ａに後述するアンテナ線５４を嵌め込むことで、保持部４２は、アンテナ線５４を弾性力で挟持した状態で保持するようになっている（図１参照）。なお、溝部４２Ａの溝幅寸法は、アンテナ線５４の外径寸法よりも小さく設定されている。
【００４０】
−切欠部４０Ｂ−
また、切欠部４０Ｂは、装置幅方向から見て、保持部４２を挟んで薄肉部３８の貫通孔３８Ｂの反対側で、円弧状に形成されている。そして、切欠部４０Ｂは、閉塞部材３４の径方向の外側へ開口している。この切欠部４０Ｂに後述する電源線６０を、閉塞部材３４の径方向の外側から嵌め込むことで、切欠部４０Ｂが、電源線６０を保持するようになっている（図１参照）。
図１に示すように、本実施形態では、切欠部４０Ｂと後述する受信装置２８におけるアンテナ線５４の挿通孔との中間位置に保持部４２が設けられている。
【００４１】
〔制御基板２６〕
制御基板２６は、図２、図３に示されるように、筐体１２の内部で、下方部材３２Ｂの装置幅方向の中央側の部分に取り付けられている。制御基板２６は、上方から見て、装置幅方向に延びた矩形状とされており、制御基板２６には、駆動モータ１６の駆動制御を行う駆動制御回路（符号省略）が実装されている。
【００４２】
さらに、制御基板２６には、各部（駆動モータ１６、制御基板２６、受信装置２８等の電力を使用する機器）に電力を供給するための電源線６０の基端と、後述する受信装置２８から伝送された制御信号を駆動制御回路に入力するための信号配線６４の基端とが接続されている。また、この信号配線６４の先端には、信号配線６４を受信装置２８と接続するためのコネクタ６６が取り付けられている。
【００４３】
〔駆動モータ１６、減速機構１８、回転伝達部材２２〕
駆動モータ１６、減速機構１８、回転伝達部材２２は、図２、図３に示されるように、制御基板２６に対して装置幅方向の他方側（図中左側）に配置されており、装置幅方向の一方側から他方側へこの順番で配置されている。
【００４４】
駆動モータ１６は、筐体１２の内部で、下方部材３２Ｂに取り付けられており、駆動モータ１６の出力軸（図示省略）は、装置幅方向の他方側に突出している。
【００４５】
減速機構１８は、筐体１２の内部で、下方部材３２Ｂに取り付けられており、減速機構１８には、駆動モータ１６の出力軸が接続されている。そして、減速機構１８は、駆動モータ１６から伝達された回転の回転数を減少させ、かつ、駆動モータ１６から伝達された回転のトルクを増大させて回転伝達部材２２に伝達するようになっている。
【００４６】
回転伝達部材２２は、装置幅方向において筐体１２の他方側から筐体１２の外部へ露出しており、回転伝達部材２２には、減速機構１８の出力軸が接続されている。そして、回転伝達部材２２は、円盤状とされており、回転伝達部材２２の外径は、筐体１２の外径と比して大きくされている。また、回転伝達部材２２の外周面には、４個の駆動溝２２Ａが、周方向に同様の間隔で形成されている。この駆動溝２２Ａは、巻取体１０６（図６参照）の内周面に形成された被駆動部（図示省略）に係合するようになっている。
【００４７】
この構成において、駆動モータ１６から出力された回転力は、減速機構１８によって減速、かつ、増大されて、回転伝達部材２２から巻取体１０６へと伝達される。そして、巻取体１０６が回転することで、シャッタカーテン１０４が、巻き出され、又は巻き取られることで、上下移動する。
【００４８】
〔受信装置２８〕
受信装置２８（所謂無線モジュール）は、図２、図３に示されるように、筐体１２を構成する閉塞部材３４に取り付けられている。そして、受信装置２８は、図５に示されるように、空洞とされた内部に電子部材（図示せず。一例として、受信回路基板等）を備えた本体部５０と、本体部５０の内部を閉塞する蓋部５２と、アンテナ線５４とを備えている。
【００４９】
−本体部５０−
本体部５０は、内部が空洞とされており、装置幅方向に延びた直方体状とされている。また、本体部５０において、装置奥行方向に対して直交する方向に切断した断面形状は、装置幅方向から見て縁辺３６Ａに対して傾斜した傾斜方向に延びた矩形状とされている。具体的には、本体部５０の断面形状は、装置幅方向から見て、閉塞部材３４の薄肉部３８に形成された貫通孔３８Ｂと同様の矩形状とされている。
【００５０】
そして、本体部５０において装置幅方向の一方側の部分で、電子部品を挿入するために本体部５０の内部が開放されている。また、本体部５０において装置幅方向の他方側の部分には、前述したコネクタ６６が接続される接続部５０Ａが形成されている。
【００５１】
−蓋部５２−
蓋部５２は、本体部５０の内部を閉塞しており、板面が装置幅方向を向いた板状とされている。また、装置幅方向から見て、蓋部５２の外形は、本体部５０の全体を覆うように本体部５０の外形と比して大きくされており、傾斜方向に延びた矩形状とされている。
【００５２】
そして、蓋部５２において本体部５０を覆う部分には、送信機（所謂操作リモコン）を受信装置２８に登録するための登録スイッチ５２Ａと、登録状況等を知らせるステータスランプ５２Ｂとが設けられている。さらに、蓋部５２において本体部５０を覆う部分には、アンテナ線５４が通る貫通孔５２Ｃが形成されている。また、蓋部５２において本体部５０から突出した部分には、装置幅方向において閉塞部材３４の貫通孔３８Ｃと重なると共に蓋部５２の表裏を貫通する円形状の貫通孔５２Ｄが形成されている。
【００５３】
−アンテナ線５４−
アンテナ線５４は、本体部５０の内部から蓋部５２の貫通孔５２Ｃを通って外部に延設されており、外部に延設されたアンテナ線５４の先端（切断端）には、先端を保護する保護キャップ５４Ａが取り付けられている。保護キャップ５４Ａは、一例として合成樹脂材料で形成することができ、図示しない孔にアンテナ線５４の先端を挿入して、接着剤にて固定することができる。これにより、アンテナ線５４の中に水が浸入して内部の銅線が腐食{錆びる）することが抑制できる。また、保護キャップ５４Ａを取り付けることで、アンテナ線５４の内部の銅線が外部に露出しないので、作業者等が銅線に触れることを抑制できる。そして、アンテナ線５４は、送信機を操作することにより無線で送信された制御信号を受信するようになっている。
【００５４】
なお、受信装置２８の内部において、アンテナ線５４の基端は、図示しない電子部材（図示せず。一例として、受信回路基板等）に接続されている。アンテナ線５４と電子部材とは、コネクタで接続されていてもよく、半田付けで接続されていてもよく、その他の公知の方法で接続されていてもよい。
【００５５】
この構成において、受信装置２８の本体部５０が、図４、図５に示されるように、閉塞部材３４の薄肉部３８の外表面３８Ａ側から貫通孔３８Ｂに挿入される。そして、蓋部５２が、薄肉部３８の外表面３８Ａに重なる。この状態で、装置幅方向から見て、薄肉部３８の貫通孔３８Ｃと、蓋部５２の貫通孔５２Ｄとは重なっている。
【００５６】
また、閉塞部材３４が本体部３２の装置幅方向の一方側の開口を閉塞した状態では、閉塞部材３４に取り付けられた受信装置２８は、筐体１２の内部に配置されている。ここで、受信装置２８が筐体１２の内部に配置される状態とは、受信装置２８が円筒状の本体部３２で囲まれている状態である。
【００５７】
〔その他〕
開閉装置１０は、図４、図５に示されるように、受信装置２８を閉塞部材３４に取り付けるためのカヌータイプの樹脂クリップ７０を備えている。具体的には、樹脂クリップ７０を、蓋部５２の貫通孔５２Ｄ、及び薄肉部３８の貫通孔３８Ｃにこの順番に差し込むことで、受信装置２８は、閉塞部材３４に取り付けられる。
【００５８】
（作用）
以上の構成において、図１に示されるように、閉塞部材３４に取り付けられた受信装置２８の接続部５０Ａに、信号配線６４の先端に取り付けられたコネクタ６６が接続される。
【００５９】
さらに、閉塞部材３４に取り付けられた受信装置２８のアンテナ線５４の一部が、閉塞部材３４の厚肉部４０に形成された保持部４２の溝部４２Ａに嵌め込まれることで、保持部４２が、アンテナ線５４の中間部分を弾性力で保持する。また、基端が制御基板２６に接続された電源線６０の一部が、閉塞部材３４の径方向の外側から切欠部４０Ｂに嵌め込まれることで、閉塞部材３４が、電源線６０を保持する。
【００６０】
さらに、電源線６０において閉塞部材３４から筐体１２の外部に延びている部分と、アンテナ線５４において保持部４２から筐体１２の外部に延びている部分とは、配線保護材７４を用いて束ねられている。
【００６１】
このように、本実施形態の開閉装置１０によれば、受信装置２８から外部へ延設されるアンテナ線５４の中間部を保持部４２で保持することができるため、アンテナ線５４を電源線６０に沿って這わせる作業、及び電源線６０とアンテナ線５４とを束ねる作業前にアンテナ線５４の中間部を保持部４２で保持しておけば、アンテナ線５４を電源線６０に沿って這わせる作業、及び電源線６０とアンテナ線５４とを束ねる作業において、仮にアンテナ線５４が引っ張られた場合においても、受信装置２８におけるアンテナ線５４の接続部分（受信装置２８の内部の図示しない基板とアンテナ線５４との接続部分）に不要な張力が作用することを抑制でき、電源線６０とアンテナ線５４とを束ねる作業が容易になる。また、アンテナ線５４を保持するには、アンテナ線５４を溝部４２Ａに押し込んで嵌め込むだけでよいため、作業が容易である。
【００６２】
さらに、本実施形態の開閉装置１０によれば、保持部４２が、受信装置２８と切欠部４０Ｂとの中間に設けられているため、受信装置２８から延設されたアンテナ線５４を、受信装置２８と切欠部４０Ｂとの中間に設けた保持部４２を経由して、最短距離で電源線６０に到達させることができる。
【００６３】
また、閉塞部材３４が、下方部材３２Ｂの装置幅方向の一方側の部分に配置される。そして、上方部材３２Ａの装置幅方向に延びた一対の縁部と、下方部材３２Ｂの装置幅方向に延びた一対の縁部とを装置上下方向に重ねた状態で、上方部材３２Ａと下方部材３２Ｂとを、図示せぬ取付部材によって取り付ける。
【００６４】
そして、開閉装置１０は、図６に示されるように、シャッタケース１１４の内部で、かつ、少なくとも一部が筒状の巻取体１０６の装置幅方向に一方側（図中右側）の内部に配置されている。
【００６５】
この状態で、シャッタ装置１００の外部から送信機を操作することにより無線で送信された制御信号を、受信装置２８はアンテナ線５４を介して受信する。制御信号を受信した受信装置２８は、信号配線６４を介して制御信号を制御基板２６に実装された駆動制御回路へ伝送する。また、制御基板２６に実装された駆動制御回路が、駆動モータ１６を回転させ、駆動モータ１６から出力された回転力は、減速機構１８によって減速、かつ、増大されて、回転伝達部材２２から巻取体１０６へと伝達される。そして、巻取体１０６が回転することで、シャッタカーテン１０４が、巻き出され、又は巻き取られることで、上下移動する。
【００６６】
（まとめ）
以上説明したように、受信装置２８は、筐体１２の閉塞部材３４に取り付けられている。このため、受信装置２８が筐体１２の外部で筐体１２とは離間した場所に取り付けられる場合と比して、筐体１２の外部の空間を有効に活用することができる。
【００６７】
また、アンテナ線５４は、開閉装置１０の外部に延設されているので、開閉装置１０の内部（巻かれたシャッタカーテン１０４の内部）に配置された場合に比較して、受信性能を向上させることができる。
【００６８】
また、アンテナ線５４は、電源線６０と共に配線保護材７４を用いて束ねられているので、シャッタ装置１００を建築物の窓に取り付ける際に、電源線６０とアンテナ線５４とを個別に配設（引き回し）する場合に比較して、配設作業が１回で済み、配設作業が容易になる。
【００６９】
また、アンテナ線５４、及び電源線６０は、配線保護材７４で保護されているので、例えば、これらを挿通する孔（一例として、図示しないシャッタケース１１４に形成されている）に保護材（ブッシング）を取り付ける必要が無くなる。これにより、部品点数を削減することができる。
【００７０】
また、受信装置２８は、信号配線６４を介して制御基板２６の駆動制御回路と接続されている。受信装置２８が、制御基板２６に直接取り付けられる場合と比して、受信装置２８を介して制御基板２６にかかる振動等の負荷を軽減することができる。
【００７１】
また、受信装置２８は、筐体１２の内部に配置されている。このため、受信装置２８が、筐体１２の外部に配置されている場合と比して、雨水等の液体が受信装置２８に付着するのを抑制することができる。
【００７２】
また、受信装置２８と、信号配線６４のコネクタ６６と、受信装置２８の接続部５０Ａとは、筐体１２の内部に配置されている。このため、コネクタ６６と接続部５０Ａとを接続する部分が筐体１２の外部である場合と比して、外力によりコネクタ６６と接続部５０Ａとの接続が解除されるのを抑制することができる。
【００７３】
また、閉塞部材３４は、弾性材料で形成されている。このため、筐体１２に衝撃が加わって筐体１２が振動した場合でも、閉塞部材３４が振動を吸収することで、受信装置２８に振動が伝達されるのを抑制することができる。
【００７４】
また、閉塞部材３４は、弾性材料で形成されている。このため、閉塞部材３４に形成された切欠部４０Ｂの周面を電源線６０に押し付けることで、切欠部４０Ｂと電源線６０との間から筐体１２の内部に液体が浸入するのを抑制することができる。
【００７５】
また、閉塞部材３４は、弾性材料（ゴム材料）で形成されている。このため、閉塞部材３４が金属で形成されている場合と比して、筐体１２の内部に配置された受信装置２８の電波特性の低下を抑制することができる。
【００７６】
また、受信装置２８は、樹脂クリップ７０を用いて閉塞部材３４に取り付けられている。このため、ネジ等を用いて取り付ける場合と比して、受信装置２８を容易に閉塞部材３４に取り付けることができる。
【００７７】
また、シャッタ装置１００においては、開閉装置１０を備えることで、シャッタ装置の内部の空間を有効に活用することができる。
【００７８】
［その他の実施形態］
なお、本発明を特定の実施形態について詳細に説明したが、本発明は係る実施形態に限定されるものではなく、本発明の範囲内にて他の種々の実施形態をとることが可能であることは当業者にとって明らかである。
【００７９】
また、上記実施形態では、閉塞部材３４は、弾性材料で形成されたが、例えば、閉塞部材が金属材料で形成されてもよい。この場合には、保持部４２は、弾性材料で形成することが好ましい。
【００８０】
上記実施形態では、保持部４２が閉塞部材３４の略中央部に設けられていたが、保持部４２は、閉塞部材３４の中央部以外の部位に設けてもよい。
【００８１】
上記実施形態の開閉装置１０は、受信装置２８を備えていたが、送信装置を備えていてもよく、アンテナ線５４は該送信装置に接続されていてもよい。
【００８２】
なお、図７（Ａ）、（Ｂ）に示すように、受信装置２８の本体部５０と蓋部５２との接合部分６２にアンテナ線５４が通る貫通孔５２Ｃを形成すると共に、アンテナ線５４を屈曲させた状態で本体部５０と蓋部５２との間でアンテナ線５４を挟持固定ための凹凸部６８を本体部５０、及び蓋部５２に形成してする構成としてもよい。
【００８３】
これにより、受信装置２８において、アンテナ線５４と図示しない電子部材（受信回路基板等）との接続部分に不要な張力を作用させない効果が得られ、アンテナ線５４の抜けを抑制することができる。また、アンテナ線５４の抜けを抑制するためのストッパー、インシュロック（結束バンド）、ブッシング等の別部品が不要となる。
【００８４】
上記実施形態では、特に説明しなかったが、開閉装置１０を用いることで、既存の手動シャッタを、容易に電動シャッタに変えることができる。
【符号の説明】
【００８５】
１０    開閉装置
１２    筐体
１６    駆動モータ（モータの一例）
２６    制御基板（駆動制御回路）
２８    受信装置（通信装置の一例）
３４    閉塞部材（取付部材の一例）
４０Ｂ  切欠部（挿通部の一例）
４２    保持部
４２Ａ  溝部  
５４    アンテナ線
６０    電源線
１００  シャッタ装置
１０４  シャッタカーテン
１０６  巻取体
【図１】
2019199753.tif 000003
【図２】
2019199753.tif 000004
【図３】
2019199753.tif 000005
【図４】
2019199753.tif 000006
【図５】
2019199753.tif 000007
【図６】
2019199753.tif 000008
【図７】
2019199753.tif 000009